(57)【要約】      （修正有）【課題】浴槽の出入りに際して手すり部に体重をかけて浴槽をまたぐ動作を行うにあたり、不意によろけたりして浴槽手すりに大きな力が作用しても傾いたり、倒れる恐れがない安心して使用できる浴槽用手すりを提供する。【解決手段】浴槽の上縁部に跨設される浴槽用手すりであって、本体部１は、浴槽の側壁の肉厚に合わせて幅の調整ができる幅調整機構と、浴槽の側面を押圧して締め付け、浴槽の上縁部を挟持して支持・固定する締め付け機構とを備え、手すり部２は、本体部１に取り付けられ上下にスライドする支柱２２と、支柱２２に形成された把手部２１とを備え、下部支持部材３は、本体部１に取り付け上下にスライドする脚支柱３１と、脚支柱３１に取り付けられ、浴室の側面を押圧して支持・固定する伸縮自在な突っ張りポール３３を備え、浴槽の上縁部と浴室の左右側面の三か所で支持・固定する。【選択図】図１
2013052208.tif 000002
【特許請求の範囲】
【請求項１】
浴槽の上縁部に跨設され、浴槽の上部側壁を挟着する本体部と、本体部から上方に突出して形成される手すり部と、本体部から下方に向かって延出している下部支持部材とを備えた浴槽用手すりであって、本体部は、少なくとも浴槽の側壁を押圧して締め付け、浴槽の上縁部を挟持して支持・固定する締め付け機構を備え、手すり部は、本体部に取り付けられる手すり部支柱と、該支柱に形成された把手部とを備え、下部支持部材は、本体部に取り付けられる脚支柱と、脚支柱に取り付けられ、浴室の側面を押圧して支持・固定する伸縮自在な突っ張りポールを備え、浴槽の上縁部と浴室の左右側面の三か所で支持・固定することを特徴とする浴槽用手すり。
【請求項２】
前記下部支持部材は、少なくとも長さ調整可能なスライド支柱と、スライド支柱の下部に設けられる固定台と、固定台に取り付けられる突っ張りポールで構成され、固定台に突っ張りポールの外筒を挿入する挿入受け部を設け、挿入受け部に外筒が挿入されて固定台と外筒が相互に摺動し、浴槽の任意の位置に浴槽手すりを取り付けられることを特徴とする請求項１記載の浴槽手すり。
【請求項３】
前記スライド支柱はＵ字形状をしており、手すり部支柱と嵌合して、本体部に備えた水平ロックピン機構で脚支柱の長さ調整を行うことを特徴とする請求項１または２記載の浴槽用手すり。
【請求項４】
前記突っ張りポールは、外筒に内筒が伸縮自在に挿入され、外筒の一端側と内筒の多端側に浴室の側面を押圧するアジャスターが取り付けられていることを特徴とする請求項１ないし３記載の浴槽用手すり。
【発明の詳細な説明】
【発明の詳細な説明】
【技術分野】
【０００１】  本発明は、高齢者や身障者等が浴室の浴槽内へ出入りするのに適した浴槽用手すりに関する。
【背景技術】
【０００２】  高齢者などが入浴する際、浴槽内への出入りを介助するために、浴槽の側壁へ取付け該側壁を挟着して固定する浴槽用手摺りが提供されている。例えば、特許文献１（特開２０１０−２４６６９１号）に記載されたものは、浴槽の上端部に配置される本体具と、本体具の一方の側面に形成された側片と、側片に設けられた押圧具と、左右一対に設けられた押圧板と、押圧具を移動させる操作ハンドルと、スライドして移動自在な押圧受け具と、押圧受け具に設けられた押圧受け板と、固定・解除手段とを備え、更に所定の力を超えるとハンドルノブからボルト軸に回動力が伝達されないようにする回動伝達社団機構と係合・離脱自在なラッチ具を備えた浴槽用手摺りである。【０００３】  また、特許文献２（特開平１１−４７０１６号）に記載されたものは、浴槽の上縁部を挟着する挟着部と、この挟着部で浴槽の上縁部を挟着部した時、浴槽の上縁から上方に突出するように支持される手すり本体部とを備える浴槽用手すりにおいて、上下方向に伸縮自在で下端が洗い場の床面に受けられて挟着部を支持する脚部を備えている浴槽用手すりである。【０００４】
【特許文献１】特開２０１０−２４６６９１号公報
【特許文献２】特開平１１−４７０１６号公報
【発明が解決しようとする課題】
【０００５】特許文献１、２に記載されたものを含め従来のものは、浴槽の上縁部に本体を跨設してハンドルを回して押圧板で浴槽の側壁を締め付けて固定するのが一般的である。特許文献１、２に記載されているように、浴室の床面に当接することができる脚部・支柱を設けているものも提供されている。一般的に浴槽はＦＲＰ製の物が多く使用されているが、ＦＲＰ製浴槽の側壁は内部が空洞か断熱材を充填しているため強度上強く締め付けることができない。側壁を強く締め付けると側壁が凹むなど、時間が経過するとネジが緩むなどの問題が発生する恐れがある。そのため、特許文献１に示すように回動伝達遮断機構で過剰な力で押圧することを防ぐようにしている。
【０００６】また、特許文献１、２に記載されたものは、浴槽の上縁部で支持・固定するから、浴槽の前後方向（図１１に示すＹ方向）に対しては傾き・倒れにくいが、浴槽への出入りをする際、使用者が倒れかけて不用意に手すりを掴んだりした時にかかる浴槽の左右方向（図１１に示すＸ方向）に対しては傾き易く、使用者に不安を与えるなどの課題があった。
【課題を解決するための手段】
【０００７】本発明は、従来の上記課題を解決する手段として、請求項１に記載の本発明は、浴槽の上縁部に跨設され、浴槽の上部側壁を挟着する本体部と、本体部から上方に突出して形成される手すり部と、本体部から下方に向かって延出している下部支持部材とを備えた浴槽用手すりであって、本体部は、少なくとも浴槽の側壁を押圧して締め付け、浴槽の上縁部を挟持して支持・固定する締め付け機構を備え、手すり部は、本体部に取り付けられる手すり部支柱と、該支柱に形成された把手部とを備え、下部支持部材は、本体部に取り付けられる脚支柱と、脚支柱に取り付けられ、浴室の側面を押圧して支持・固定する伸縮自在な突っ張りポールを備え浴槽の上縁部と浴室の左右側面の三か所で支持・固定することを特徴とする浴槽用手すりである。
【０００８】請求項２に記載の本発明は、前記下部支持部材は、少なくとも長さ調整可能なスライド支柱と、スライド支柱の下部に設けられる固定台と、固定台に取り付けられる突っ張りポールで構成され、固定台に突っ張りポールの外筒を挿入する挿入受け部を設け、挿入受け部に外筒が挿入されて固定台と外筒が相互に摺動し、浴槽の任意の位置に浴槽手すりを取り付けられることを特徴とする請求項１記載の浴槽手すりである。
【０００９】請求項３に記載の本発明は、前記スライド支柱はＵ字形状をしており、手すり部支柱と嵌合して、本体部に備えた水平ロックピン機構で脚支柱の長さ調整を行うことを特徴とする請求項１または２記載の浴槽用手すりである。
【００１０】請求項４に記載の本発明は、前記突っ張りポールは、外筒に内筒が伸縮自在に挿入され、外筒の一端側と内筒の多端側に浴室の側面を押圧するアジャスターが取り付けられていることを特徴とする請求項１ないし３記載の浴槽用手すりである。
【００１１】請求項１記載の発明によれば、浴槽の上縁部に本体部を跨設させ、押圧板を浴槽の側壁に当接して浴槽の上部側壁を締め付け手段を利用して挟着し、突っ張りポールの長さ調節手段を利用して浴室の側面（側壁）下部に突っ張りポールのアジャスターを当接して浴室の左側面（側壁）および右側面（側壁）の下部を押圧して支持・固定し、浴槽の上部と浴室の下方左右両側面の三か所で支持・固定することにより、三点で支持し、固定するから前後方向（図１１のＹ方向）及び左右方向（図１１のＸ方向）から力がかかっても浴槽用手すりが傾くことはない。挟着している部分の締め付けが緩んだ場合でも三か所で支持されているから倒れる恐れもない。
【００１２】本発明は、本体部が浴槽の上縁部に跨設して浴槽の幅に合わせて側壁を押圧板で挟着できる構造のものであればよく、浴槽の幅に合わせてビスなどで幅調整を行うものあるいはラチェトによる幅調整機能を備えたものでよく、幅を合わせた後はネジで螺進する締め付け機構を備えたものであればよい。手すり部は、使用者が握る把手部の高さを調整できるものであればよく、本体に支柱を接続して支柱に間欠的に設けられた孔を介して固定ネジを用いて本体に固定できるものであればよい。支柱は１本のものでもよく把手部はリング状のものでなくてもよい。下部支持部材は、脚支柱と突っ張りポールで構成され、脚支柱が突っ張りポールの任意の位置に取り付け固定できる。実施例では脚支柱がスライド支柱と固定台で構成されているが実施例に限定されるものではない。スライド支柱が１本のものであってもよく、スライド支柱と固定台が一体のものでもよく、スライド支柱が固定台なしに突っ張りポールに直接一体的に取り付けられたものであってもよい。
【００１３】請求項２記載の発明によれば、固定台が突っ張りポールの外筒上を摺動して左右にスライドさせることができ、止めネジで固定することができるから、浴槽の右側から中央付近まで、また、突っ張りポールを反転して固定台に取り付ければ浴槽の左側から中央付近まで、使用者が任意の使用位置に浴槽用手すりを取り付けることができる。スライド支柱は予め固定台に固定し、その後突っ張りポールに取り付けてもよいが、固定台を先に突っ張りポールに固定した後スライド支柱を固定台に取り付けてもよい。
【００１４】請求項３記載の発明によれば、従来のものは脚支柱をそれぞれ１本ずつ長さ調整を行いネジ止めしなければならなく不便であったが、脚支柱すなわちスライド支柱がＵ字形状であるから、本体部に備えた水平ロックピン機構により脚支柱の長さ調整を左右同時に行える。
すなわち、下部支持部材が浴室の床面に当接するまでの脚の長さ調整を容易に行うことができる。
【００１５】請求項４に記載の本発明によれば、突っ張りポールの外筒と内筒が伸縮自在であるから、浴室の横幅に自由に合わせることができる。広い浴室には内筒の長さを変えることで対応することができる。アジャスターは両側に設けることが望ましいが片側だけであってもよい。
【００１６】本発明は、実施例に限定されるものではなく、手すり部の形状はリング状のものでなくてもよく、支柱は１本だけでもよい。また、幅調整機構は既存のＬ字形プレートを重ねてネジ止めするようなものであってもよく、締め付け機構は既存のハンドルを回して押圧板をネジで螺進させるようなものでもよい。
【発明の効果】
【００１７】本発明では、高齢者の方、足腰の弱くなった方、身障者などが入浴する場合、浴槽の出入りに際して手すり部に体重をかけて浴槽をまたぐ動作を行うにあたり、不意によろけたりして浴槽手すりに大きな力が作用しても傾いたり、倒れる恐れがない安心して使用できる浴槽用手すりを提供するものである。
【００１８】従って、本発明の浴槽用手すりは、以下のような効果を奏する。
浴槽の上部と浴室の左側側壁と浴室の右側側壁の三か所（三点支持）で支持固定しているから浴槽用手すりが傾き・倒れる恐れはない。
また、差し込む（押し込む）だけ浴槽の肉厚に合わせて幅調整することができ、ハンドルを回すだけで浴槽の上部を支持・固定できるから操作が簡単で容易に取り付けることができる。
また、手すり部の高さ調整ができるので、使用者の体格に合わせて手すり部の高さを設定することができる。
また、脚支柱すなわち下部支持部材の長さ調整ができるので、高さの異なる浴槽にも対応することができ、既設の浴槽に後付けすることができる。
また、固定台と突っ張りポールが取り付け取り外しでき、かつ、スライドできるので、浴槽の右側、左側、中央など任意の位置に取り付けることができる。
仮に、締め付けネジが緩んだとしても本体部が浴槽からはずれて倒れる恐れもない。
【発明を実施するための最良の形態】
【００１９】以下、本発明の一実施形態を図面に基づき説明する。図１は本発明に係る浴槽用手すりの斜視図である。図２は背面側からの斜視図、図３は上下に分割した状態の展開図、図４はスライド体を離した状態の斜視図、図５は浴槽用手すりの縦断面図、図６は浴槽用手すりの展開図、図７は浴槽手摺りの本体Ｌ字状片とスライド片の斜視図、図８は水平ロックピン機構の概略図、図９はロックピンのロック状態を示す概略図、図１０は手すり部支柱の断面図と斜視図、図１１は浴槽の平面図である。【００２０】図１から５に示すように、本発明に係る浴槽用手すりは、浴槽の上縁部に跨設される本体部１と、本体部１から上方へ突出する手すり部２と、本体部１から下方へ延出する下部支持部材３とで構成されている。【００２１】本体部１は、側面視がＬ字形状の本体１１と、本体１１に嵌合してスライドする側面視がＬ字形状のスライド体１２と、スライド体１２に取り付けられる浴槽内手すり１３などで構成され、組み付けるとコの字形状をなし、浴槽の上縁部に跨設される。【００２２】手すり部２は、リング状の把手部２１とそれから垂下されている手すり部支柱２２などで構成され、手すり部支柱２２が本体部１に装着されて把手部２１が上下にスライドして把手部２１の高さを調整することができる。【００２３】下部支持部材３は、Ｕ字形状をしたスライド支柱３１と、その下部に設けられるスライド脚固定台３２とスライド脚固定台３２に取り付けられる突っ張りポール３３などで構成され、スライド脚固定台３２が突っ張りポール３３上をスライドして左右に動かせることができるから、浴槽手すりを浴槽の左右方向の任意の位置に取り付けることができる。【００２４】図６に示すように、本体１１は、フレームカバー１１０、スライドロックピン１１０ａ、スプリング１１０ｂ、スライド脚解除レバー１１０ｃ、本体Ｌ字状片１１１、上部カバー１１２、蓋体１１２ａ、ロックピン１１２ｂ、バネ１１２ｃ、押圧受け板１１３、ゴムシート１１３ａなどで構成され、スライド体１２は、断面がＬ字形状のスライド片１２０とネジスリーブ１２１とネジ棒１２２とノブ１２３と押圧板１２４とゴムシート１２４ａなどで構成されている。【００２５】本体１１には、フレームカバー１１０に本体Ｌ字状片１１１、スライドロックピン１１０ａ、スプリング１１０ｂ、スライド脚解除レバー１１０ｃが組みつけられ、本体Ｌ字状片１１１には上部カバー１１２、蓋体１１２ａ、ロックピン１１２ｂ、バネ１１２ｃ、押圧受け板１１３、ゴムシート１１３ａなどが組みつけられる【００２６】フレームカバー１１０は、外側面の両側に支柱受け部１１０ｄが形成され、左右の支柱受け部１１０ｄの間にスライドロックピン１１０ａ、スプリング１１０ｂ、スライド脚解除レバー１１０ｃなどからなる水平ロックピン機構が構成されている。また、フレームカバー１１０の内側面には、本体Ｌ字状片１１１が組みつけられ止めネジで固定される。支柱受け部１１０ｄには後述する手すり部２の手すり部支柱２２が挿入される。【００２７】スライドロックピン１１０ａは、手すり部支柱２２が支柱受け部１１０ｄに挿入される前、スライド脚支柱３１が手すり部支柱２２に挿入される前、フレームカバー１１０に形成されている支柱受け部１１０ｄに設けられた凹部１１０ｅ（穴でもよい）と係合している。
そして、手すり部支柱２２が支柱受け部１１０ｄに挿入された後、スライド脚支柱３１が手すり部支柱２２に挿入された後、図８に示すように、スライドロックピン１１０ａは、手すり部支柱２２に設けられている係止孔２２２、およびスライド脚支柱３１に間欠的に設けられた係合孔３１１を貫通して、フレームカバー１１０に形成されている支柱受け部１１０ｄに設けられた凹部１１０ｅ（穴でもよい）と係合している。【００２８】スライドロックピン１１０ａは、横方向外方へ向かってスプリング１１０ｂで常に付勢されているから、スライド脚解除レバー１１０ｃを摘まんで中央に引き寄せるとスプリング１１０ｂで付勢されているスライドロックピン１１０ａが凹部１１０ｅ、係合孔３１１、係止孔２２２から離脱してロックが解除される。
そして、スライド脚解除レバー１１０ｃを摘まんだ状態でスライド脚支柱３１を上下にスライドすれば下部支持部材３の長さ調整ができるようになっている。【００２９】本体Ｌ字状片１１１は、断面視がＬ字形状をしており、本体Ｌ字状片１１１の縦片１１１ａにネジ穴１１１ｂが設けられており、フレームカバー１１０の内面に止めネジ（図示しない）で組み付け固定される。
また、本体Ｌ字状片１１１の縦片１１１ａの内面側には、押圧受け板１１３がネジ等（図示しない）で組みつけられ固定されている。押圧受け板１１３にゴムシート１１３ａが貼着されている。【００３０】本体Ｌ字状片１１１の横片１１１ｃにはロックピン１１２ｂが挿通する貫通孔１１１ｄが設けられ、横片１１１ｃの裏面には、後述するスライド体のスライド片１２０が挿入される嵌合部１１１ｅが設けられ、嵌合溝１１１ｆ（アリ溝）を有している。嵌合部１１１ｅは図７に示すように下方が開放されたものでもよいが下方が閉塞された扁平な筒状のものであってもよい。（図７参照）【００３１】本体Ｌ字状片１１１の横片１１１ｃには、上部カバー１１２が被せられ組みつけられている。上部カバー１１２の上面には蓋体１１２ａが一端を回転軸として回動自在に開閉できるように取り付けられ、図９に示すように、蓋体１１２ａの裏面にはバネ１１２ｃで付勢されたロックピン１１２ｂが設けられている。ロックピン１１２ｂは貫通孔１１１ｄを貫通して後述するスライド片１２０に形成されている係合孔１２０ｂと係合する。ロックピン１１２ｂの先端は傾斜面をなしている。【００３２】スライド体１２は、断面がＬ字形状のスライド片１２０とネジスリーブ１２１とネジ棒１２２とノブ１２３と押圧板１２４とゴムシート１２４ａで構成され、スライド片１２０の縦片１２０ａにネジスリーブ１２１が挿入される孔１２０ｂが設けられ、孔１２０ｂにネジスリーブ１２１が挿入されて組み付けられている。ネジスリーブ１２１にはネジ棒１２２が螺合されている。ネジ棒１２２の一端側に浴槽の内側面（内壁面）を押圧する押圧板１２４が組みつけられ、他端側にはノブ１２３が組みつけられている。ノブ１２３を右に回すと押圧板１２４が前進して浴槽の内側面（内壁面）を押圧する。ノブ１２３を左に回すと押圧板１２４が後退して押圧を解除する。押圧板１２４は押圧板基板１２４ａ、押圧板１２４ｂ、ゴムシート１２４ｃで形成されている。【００３３】スライド片１２０の横片１２０ｃには、係合孔１２０ｄが間欠的に複数設けられ、前述したロックピン１１２ｂが係合する。また、スライド片１２０の横片１２０ｃの上面には本体Ｌ字状片１１１の横片１１１ｂの裏面に設けられた嵌合部１１１ｅの嵌合溝１１１ｆ（アリ溝）と嵌合する突状１２０ｅが形成されている。【００３４】スライド体１２を本体１１の嵌合部１１１ｅに挿入して押し込むと、スライド片１２０の先端がロックピン１１２ｂの傾斜面に当接し、スライド片１２０の先端が前進するとロックピン１１２ｂがバネ１１２ｃの付勢に逆らってロックピン１１２ｂが上方に押し上げられスライド体１２が前進する。スライド片１２０の横片１２０ｂに設けられた係合孔１２０ｃの位置にロックピン１１２ｂがくるとロックピン１１２ｂはバネ１１２ｃの付勢により係合孔１２０ｃに挿入されて係合する。更に前進すると係合孔１２０ｃの端面がロックピン１１２ｂの傾斜面に当接しロックピン１１２ｂがバネ１１２ｃの付勢に逆らって上方に押し上げられスライド体１２が前進する。次の係合孔１２０ｃの位置にロックピン１１２ｂがくるとロックピン１１２ｂはバネ１１２ｃの付勢により次の係合孔１２０ｃに挿入されて係合する。（図９参照）これを繰り返して、押圧板１２３が浴槽の壁面に当接するまで前進させるとロックピン１１２ｂがその位置に近い係合孔１２０ｃと係合してロックされる。また、蓋体１１２ａを開けるとロックピン１１２ｂが係合孔１２０ｃから離脱してロックが解除され、スライド体１２を後退させることができる。（図４参照）
従って、スライド体１２を押し込むだけで浴槽の厚み（肉厚）に押圧受け板１１３と押圧板１２４との幅を合わせることができるから、簡単な操作で幅調整をすることができる。【００３５】浴槽内手すり１３は、スライド片１２０の縦片１２０ａに孔１２０ｆを介してネジ１３０で組み付け固定される。浴槽内手すり１３は、不要な場合は取り外して使用してもよい。【００３６】手すり部２は、把手部２１と手すり部支柱２２とからなり、手すり部支柱２２の一端にリング形状の把手部２１が形成され、手すり部支柱２２には把手部２１の高さを調整するための係合孔２２１が間欠的に設けられ、スライドロックピン１１０ａが挿入される係止孔２２２が複数設けられている。手すり部支柱２２は、本体１１のフレームカバー１１０の側面に形成されている支柱受け部１１０ａに挿入し、使用者の高さに合わせてネジ２３でフレームカバー１１０に組み付け固定する。【００３７】手すり部支柱２２の形状は、丸パイプ状、角パイプ状のものでもよいが、望ましくは、長円形でその一部からフランジ部が形成された断面形状がＰ字形状の支柱が望ましい。（図１０参照）そして、フランジ部に把手部２１の高さ調整を行うための係合孔を間欠的に形成し、長円形の筒状部にスライドロックピン１１０ａと係合する係止孔２２２を設けることが望ましい。この場合、本体１１の支柱受け部１１０ｄの断面形状は手すり部支柱２２の断面形状に対応してＰ字形状とすることが望ましい。【００３８】下部支持部材３は、Ｕ字形状をしたスライド脚支柱３１と、スライド脚支柱３１の下部に取り付けられるスライド脚固定台３２と、スライド脚固定台３２に取り付けられる突っ張りポール３３とで構成され、本体部１と手すり部２とに組み付けられ、浴室の床面に当接される。【００３９】スライド脚支柱３１は、Ｕ字形状をしており、両支柱部には間欠的に係合孔３１１が設けられ、Ｕ字形状の底部がスライド脚固定台に取り付けられネジで固定される。また、スライド脚支柱３１の支柱部分は、本体部１の支柱受け部１１０ａに挿入されている手すり部２の手すり部支柱２２の内側に挿入され、スライドロックピン１１０ａが係合孔３１１に挿入されて係合する。そして、スライド脚解除レバー１１０ｄを摘まんで中央に引き寄せるとバネで付勢されているスライドロックピン１１０ａがスライドして係合孔３１１から離脱しロックが解除され、上下に長さ調整ができるようになっている。【００４０】スライド脚固定台３２は、上部にスライド脚支柱３１の底部を取り付ける受け座３２０が形成されており、下部に突っ張りポール３３の外筒３３０が挿通される挿入受け部３２１を形成している。また、挿入受け部３２１の下方にボス３１２が形成されている。ボス３１２は内部に雌ネジが形成されており、止めネジ３４が螺合される。
スライド脚固定台３２は、突っ張りポール３３の外筒３３０と相互に摺動して左右にスライドすることができる。従って、使用者が浴槽の右側、中央、左側など任意の位置を選定してボス３１２に止めネジ３４を螺合させて固定することができる。【００４１】突っ張りポール３３は、少なくとも外筒３３０と内筒３３１と継ぎ手３３２とアジャスター３３３で構成され、外筒３３０の内側に内筒３３１挿入され伸縮自在になっている。
外筒３３０の一端にアジャスター３３３が螺合して組みつけられ、内筒３３１の他端にもアジャスター３３３が螺合して組みつけられている。
そこで、浴槽手すりの取り付け位置を定め任意の位置にスライド脚固定台を位置づけ、ボスの雌ネジに止めネジをねじこんでスライド脚固定台３２を外筒３３０に固定する。
次に、内筒３３１をスライドして浴室の側面（側壁）にアジャスター３３３を当接する。
そして、継ぎ手３３２で内筒３３１を外筒３３０に固定し、アジャスター３３３を回動させて螺進させ浴室の側面（側壁）を押圧して固定する。そして、浴室の床面との微調整に脚アジャスター３３４が使用される【００４２】次に、浴槽への取り付け方について一例を持って説明する。まず、押圧受け板１１３と押圧板１２４との幅を広げた状態で本体部１を浴槽の上縁部に跨設し、スライド体１２を本体１１に押し込んで浴槽の側壁の肉厚に合わせる。押圧受け板１１３は浴槽の外側面（外壁面）に押圧板１２４は浴槽の内側面（内壁面）に当接する。そして、ノブ１２３を回動させて押圧板１２４を前進させ浴槽の内側面（内壁面）を押圧する。次に、手すり部支柱２２を支柱受け部１１０ｄに挿入して使用者の高さに合わせてネジ２３でフレームカバー１１０に組み付け固定する。また、予め下部支持部材を仮に組み付け、スライド脚支柱３１を手すり部支柱２２にスライド脚解除レバー１１０ｄを摘まんでロックを解除した状態で挿入し、スライド脚支柱３１の長さ調整をして浴室の床面に設置し、スライド脚固定台３２を横方向にスライドして使用者の希望する位置でそれぞれの固定をしっかりと行う。【００４３】以上、実施例に基づき説明したが、本発明は上記実施例に限定されるものではない。
上述のように、本発明は、高齢者、身体障害者、片マヒの方、足の弱い方など幅広く使用していただける介護用浴槽手すりを提供するものである。
【図面の簡単な説明】
【００４４】
【図１】  本発明の実施形態にかかる浴槽用手すりの斜視図
【図２】  本発明の実施形態にかかる浴槽用手すりの背面側からの斜視図
【図３】  本発明の実施形態にかかる浴槽用手すりを上下に分割した状態の展開図
【図４】  本発明の実施形態にかかる浴槽用手すりのスライド体を離した状態の斜視図
【図５】  本発明の実施形態にかかる浴槽用手すりの縦断面図
【図６】  本発明の実施形態にかかる浴槽用手すりの展開図
【図７】  本発明の実施形態にかかる本体Ｌ字状片とスライド片の斜視図
【図８】  本発明の実施形態にかかる水平ロックピン機構の概略図
【図９】  本発明の実施形態にかかるロックピンのロック状態を示す概略図
【図１０】  本発明の実施形態にかかる手すり部支柱の断面図と斜視図
【図１１】  浴槽の平面図
【符号の説明】
【００４５】１        本体部
１１      本体
１１０    本体カバー
１１０ａ  スライドロックピン
１１０ｂ  スプリング
１１０ｃ  スライド脚解除レバー
１１１    本体Ｌ字状片
１１２    上部カバー
１１２ａ  蓋体
１１２ｂ  ロックピン
１１２ｃ  バネ
１１３    押圧受け板
１２      スライド体
１２０    スライド片
１２１    ネジスリーブ１２１
１２２    ネジ棒
１２３    ノブ
１２４    押圧板
１３      浴槽内手すり
２        手すり部
２１      把手部
２１１    係合孔
２２      手すり部支柱
２２１    係合孔
２２２    係止孔
３        下部支持部材
３１      スライド脚支柱
３２      スライド脚固定台
３３      突っ張りポール
３３０    外筒
３３１    内筒
【図１】
2013052208.tif 000003
【図２】
2013052208.tif 000004
【図３】
2013052208.tif 000005
【図４】
2013052208.tif 000006
【図５】
2013052208.tif 000007
【図６】
2013052208.tif 000008
【図７】
2013052208.tif 000009
【図８】
2013052208.tif 000010
【図９】
2013052208.tif 000011
【図１０】
2013052208.tif 000012
【図１１】
2013052208.tif 000013